(57)【特許請求の範囲】
【請求項１】
装置において使用可能な、機能情報を通信する方法であって、
半二重モードまたは同一周波数全二重モードを使用して、搬送波を介して別のデバイスと通信するステップと、
前記装置が前記半二重モードで動作中か、それとも前記同一周波数全二重モードで動作中かを判定するステップと、
前記判定に基づき、前記装置が動作中である前記半二重モードまたは前記同一周波数全二重モードに対応する複数の特徴をサポートするために前記装置の機能を示す機能指示を送信するステップと
を含み、
前記機能指示は、前記装置が前記半二重モードで通信するか、または前記同一周波数全二重モードで通信するかに基づき、前記複数の特徴のうちの1つまたは複数の特徴が前記装置において使用可能または使用不能にされることを示すために、前記複数のサポートされる特徴の量未満のビット数を有するメッセージを含む、方法。
【請求項２】
前記機能指示が、第2の特徴が構成されない場合は第1の特徴がサポートされることを示すように構成される請求項1に記載の方法。
【請求項３】
前記機能指示が、第2の特徴が構成される場合は第1の特徴がサポートされることを示すように構成される請求項1に記載の方法。
【請求項４】
前記機能指示が、前記特徴の少なくともいくつかのサポートを個々に示さないように構成される請求項1に記載の方法。
【請求項５】
前記機能指示が、データユニット内の最大ビット数、通信のためにアグリゲートされる搬送波の数、通信モード、信号変調方式、またはデバイスカテゴリのうちの少なくとも1つを示すように構成される請求項1に記載の方法。
【請求項６】
前記装置が、中継ノード、ユーザ機器、基地局、またはネットワークエンティティのうちの少なくとも1つを含む請求項1に記載の方法。
【請求項７】
前記機能指示を送信する前記ステップが、前記装置に直接には接続されない前記別のデバイスに前記機能指示を送信するステップを含む請求項1に記載の方法。
【請求項８】
前記装置が1次デバイスまたは2次デバイスを備える請求項1に記載の方法。
【請求項９】
前記機能指示がシグナリングメッセージを含む請求項1に記載の方法。
【請求項１０】
装置において使用可能である通信の方法であって、
半二重モードまたは同一周波数全二重モードを使用して、搬送波を介して別のデバイスと通信するステップと、
前記別のデバイスが半二重モードで動作中か、それとも同一周波数全二重モードで動作中かに基づく複数の特徴をサポートするために前記別のデバイスの機能を示す機能指示を前記別のデバイスから受信するステップであって、
前記機能指示が、前記装置が前記半二重モードで通信するか、または前記同一周波数全二重モードで通信するかに基づき、前記複数の特徴のうちの1つまたは複数の特徴が前記装置において使用可能または使用不能にされることを示すために、前記複数のサポートされる特徴の量未満のビット数を有するメッセージを含む、ステップと、
前記機能指示に応答して、前記装置が前記半二重モードで通信するかまたは前記同一周波数全二重モードで通信するか、および前記機能指示に基づいて、前記複数の特徴をサポートするように前記装置を構成するステップと
を含む、方法。
【請求項１１】
別のデバイスとの通信のために構成された装置であって、
半二重モードまたは同一周波数全二重モードを使用して、搬送波を介して前記別のデバイスと通信するための手段と、
前記装置が前記半二重モードで動作中か、それとも前記同一周波数全二重モードで動作中かを判定するための手段と、
前記判定に基づき、前記装置が動作中である前記半二重モードまたは前記同一周波数全二重モードに対応する複数の特徴をサポートするために前記装置の機能を示す機能指示を送信するための手段と
を備え、
前記機能指示は、前記装置が前記半二重モードで通信するか、または前記同一周波数全二重モードで通信するかに基づき、前記複数の特徴のうちの1つまたは複数の特徴が前記装置において使用可能または使用不能にされることを示すために、前記複数のサポートされる特徴の量未満のビット数を有するメッセージを含む、装置。
【請求項１２】
別のデバイスとの通信のために構成された装置であって、
半二重モードまたは同一周波数全二重モードを使用して、搬送波を介して前記別のデバイスと通信するための手段と、
前記別のデバイスが前記半二重モードで動作中か、それとも前記同一周波数全二重モードで動作中かに基づく複数の特徴をサポートするために前記別のデバイスの機能を示す機能指示を前記別のデバイスから受信するための手段であって、前記機能指示は、前記装置が前記半二重モードで通信するか、または前記同一周波数全二重モードで通信するかに基づき、前記複数の特徴のうちの1つまたは複数の特徴が前記装置において使用可能または使用不能にされることを示すために、前記複数のサポートされる特徴の量未満のビット数を有するメッセージを含む、手段と、
前記機能指示に応答して、前記装置が前記半二重モードで通信するかまたは前記同一周波数全二重モードで通信するか、および前記機能指示に基づいて、前記複数の特徴をサポートするように前記装置を構成するための手段と
を備える、装置。
【請求項１３】
プロセッサによって実行されるときに、請求項１から９のいずれか一項または請求項１０に記載の方法を前記プロセッサに実行させるためのコードを含む、コンピュータ可読記録媒体。
【発明の詳細な説明】
【技術分野】
【０００１】
優先権主張
本願は、それらの内容全体が参照により本明細書に組み込まれる、2014年6月18日に米国特許商標局に出願された仮特許出願第62/014,027号、および2014年12月11日に米国特許商標局に出願された非仮特許出願第14/567,940号の優先権および利益を主張する。
【０００２】
本開示の態様は、一般には通信システムに関し、より詳細には、ワイヤレス通信デバイスの機能更新を通信することに関する。
【背景技術】
【０００３】
ワイヤレス通信ネットワークは、電話、ビデオ、データ、メッセージング、ブロードキャストなどの様々な通信サービスを提供するために広く配置されている。そのようなネットワークは、通常は多元接続ネットワークであり、利用可能なネットワークリソースを共有することによって、複数のユーザのための通信をサポートする。通常、全二重動作は、半二重動作よりも余分の複雑さを必要とする。しかしながら、全二重対応デバイスは、必ずしも全二重モードで動作するとは限らないことがある。したがって、同時にすべての他のサポートされる特徴(Feature)とともに全二重モードで動作するようにデバイスの処理機能をサイジングまたは構成することが効率的である。
【０００４】
モバイルブロードバンドアクセスの需要が増加し続けるにつれて、研究開発は、モバイルブロードバンドアクセスの増大する需要を満たすようにワイヤレス通信技術を進歩させ続け、ユーザの体験を進歩させ、向上させ続ける。
【発明の概要】
【課題を解決するための手段】
【０００５】
以下では、本開示の1つまたは複数の態様の基本的理解を与えるためにそのような態様の簡略化した概要を提示する。この概要は、本開示のすべての企図される特徴の網羅的な概要ではなく、本開示のすべての態様の主要な要素または不可欠な要素を特定することを意図するものでも、本開示の何らかの態様またはすべての態様の範囲を詳述することを意図するものでもない。その唯一の目的は、本開示の1つまたは複数の態様のうちのいくつかの概念を、後で提示されるより詳細な説明の前置きとして簡略化した形で提示することである。
【０００６】
一態様では、本開示は、装置において使用可能な、機能情報を通信する方法を提供する。装置は、搬送波(Carrier)を介して別のデバイスと通信し、装置が第1の二重モードで動作中か、それとも第2の二重モードで動作中かに基づく少なくとも2つの特徴をサポートするために装置の機能を示す機能指示を送信する。機能指示は、少なくとも2つの特徴の間で第1の特徴のサポートが第2の特徴に依存することを示すように構成される。
【０００７】
本開示の別の態様は、装置において使用可能な通信の方法を提供する。装置は、搬送波を介して別のデバイスと通信し、別のデバイスが第1の二重モードで動作中か、それとも第2の二重モードで動作中かに基づく少なくとも2つの特徴をサポートするために別のデバイスの機能を示す機能指示を別のデバイスから受信する。機能指示に応答して、装置は、機能指示に基づいて少なくとも2つの特徴をサポートするように装置を構成し、機能指示は、少なくとも2つの特徴の間で第1の特徴のサポートが第2の特徴に依存することを示すように構成される。
【０００８】
本開示の別の態様は、別のデバイスとの通信のために構成された装置を提供する。装置は、搬送波を介して別のデバイスと通信するための手段と、装置が第1の二重モードで動作中か、それとも第2の二重モードで動作中かに基づく少なくとも2つの特徴をサポートするために装置の機能を示す機能指示を送信するための手段とを含む。機能指示は、少なくとも2つの特徴の間で第1の特徴のサポートが第2の特徴に依存することを示すように構成される。
【０００９】
本開示の別の態様は、別のデバイスとの通信のために構成された装置を提供する。装置は、搬送波を介して別のデバイスと通信するための手段と、別のデバイスが第1の二重モードで動作中か、それとも第2の二重モードで動作中かに基づく少なくとも2つの特徴をサポートするために別のデバイスの機能を示す機能指示を別のデバイスから受信するための手段とを含む。装置は、機能指示に応答して、機能指示に基づいて少なくとも2つの特徴をサポートするように装置を構成するための手段をさらに含み、機能指示は、少なくとも2つの特徴の間で第1の特徴のサポートが第2の特徴に依存することを示すように構成される。
【００１０】
本開示の別の態様は、別のデバイスとの通信のために構成された装置を提供する。装置は、通信インターフェースと、コードを含むメモリと、通信インターフェースおよびメモリに結合された少なくとも1つのプロセッサとを含む。プロセッサは、コードを実行するとき、通信インターフェースを利用して、搬送波を介して別のデバイスと通信するように構成された通信制御ブロックと、装置が第1の二重モードで動作中か、それとも第2の二重モードで動作中かに基づく少なくとも2つの特徴をサポートするために装置の機能を示す機能指示を送信するように構成された機能指示ブロックとを含む。機能指示は、少なくとも2つの特徴の間で第1の特徴のサポートが第2の特徴に依存することを示すように構成される。
【００１１】
本開示の別の態様は、別のデバイスとの通信のために構成された装置を提供する。装置は、通信インターフェースと、コードを含むメモリと、通信インターフェースおよびメモリに結合された少なくとも1つのプロセッサとを含む。プロセッサは、コードを実行するとき、通信インターフェースを利用して、搬送波を介して別のデバイスと通信するように構成された通信制御ブロックと、別のデバイスが第1の二重モードで動作中か、それとも第2の二重モードで動作中かに基づく少なくとも2つの特徴をサポートするために別のデバイスの機能を示す機能指示を別のデバイスから受信するように構成された機能指示ブロックと、機能指示に応答して、機能指示に基づいて少なくとも2つの特徴をサポートするように装置を構成するように構成された構成制御ブロックとを含む。機能指示は、少なくとも2つの特徴の間で第1の特徴のサポートが第2の特徴に依存することを示すように構成される。
【００１２】
本開示の別の態様は、ワイヤレス通信のために構成された複数の通信デバイスを含む通信システムを提供する。第1の通信デバイスおよび第2の通信デバイスが、搬送波を利用して互いに通信するように構成される。第1の通信デバイスは、第2の通信デバイスが第1の二重モードで動作中か、それとも第2の二重モードで動作中かに基づく少なくとも2つの特徴をサポートするために第2の通信デバイスの機能を示す機能指示を第2の通信デバイスから受信する。機能指示に応答して、第1の通信デバイスは、機能指示に基づいて少なくとも2つの特徴をサポートするように構成される。機能指示は、少なくとも2つの特徴の間で第1の特徴のサポートが第2の特徴に依存することを示すように構成される。
【００１３】
本発明のこれらおよび他の態様は、以下の詳細な説明を検討するときにより完全に理解されよう。本発明の特定の例示的実施形態の以下の説明を添付の図とともに検討するとき、本発明の他の態様、特徴、および実施形態が当業者には明らかとなるであろう。本発明の特徴は、以下のいくつかの実施形態および図に対して論じられ得るが、本発明のすべての実施形態は、本明細書で論じられる有利な特徴のうちの1つまたは複数を含み得る。言い換えれば、1つまたは複数の実施形態が、いくつかの有利特徴を有するものとして論じられ得るが、そのような特徴のうちの1つまたは複数はまた、本明細書で論じられる本発明の様々な実施形態に従って使用され得る。同様に、例示的実施形態が、デバイス、システム、または方法実施形態として以下で論じられ得るが、そのような例示的実施形態は、様々なデバイス、システム、および方法として実装され得ることを理解されたい。
【図面の簡単な説明】
【００１４】
【図１】いくつかの実施形態による、処理システムを利用する装置についてのハードウェア実装の一例を示すブロック図である。
【図２】いくつかの実施形態による、1つまたは複数の従属エンティティと通信するスケジューリングエンティティの一例を示すブロック図である。
【図３】いくつかの実施形態に従って使用されるワイヤレス通信のためのいくつかの周波数帯を示す図である。
【図４】いくつかの実施形態による、同一周波数全二重における2つのデバイス通信を示すブロック図である。
【図５】いくつかの実施形態による、時分割複信通信チャネルを示す図である。
【図６】いくつかの実施形態による、中継ノードとして動作するデバイスを示す図である。
【図７】いくつかの実施形態による、2次デバイスとして動作するデバイスを示す図である。
【図８】いくつかの実施形態による、1次デバイスとして動作するデバイスを示す図である。
【図９】いくつかの実施形態による、通信モードに基づいて通信デバイスの機能情報を通信する方法を示す流れ図である。
【図１０】いくつかの実施形態による、図9に示される方法において利用される機能指示に関してより詳細に示す流れ図である。
【図１１】いくつかの実施形態による、別のデバイスから受信した機能指示に基づいて装置を構成する方法を示す流れ図である。
【発明を実施するための形態】
【００１５】
添付の図面とともに以下で述べられる詳細な説明は、様々な構成の説明として意図され、本明細書で説明される概念が実施され得る唯一の構成を表すことは意図されない。詳細な説明は、様々な実施形態の完全な理解を与える目的で特定の詳細を含む。しかしながら、これらの特定の詳細なしにこれらの実施形態が実施され得ることは当業者には明らかであろう。いくつかの例では、そのような概念を不明瞭にすることを避けるために、周知の構造および構成要素がブロック図形式で示される。
【００１６】
本開示全体にわたって提示される様々な概念は、多種多様な電気通信システム、ネットワークアーキテクチャ、および通信規格にわたって実装され得る。ここで論じられる技術のいくつかの実施形態によれば、ワイヤレス通信システムは、異なる状況で任意選択の特徴および機能を使用可能または使用不能にし得る。しかしながら、任意選択の特徴または機能が独立してシグナリングされる場合、通信デバイスの処理能力をワーストケースシナリオに合わせてサイジングすることは非効率であり得る。本開示のいくつかの実施形態による通信システムは、全二重および半二重動作をサポートし得、全二重および半二重動作は、エンドデバイス、ユーザ機器、中継ノード、デバイス間(D2D)ノード、または任意のネットワークノード(たとえば、基地局、eNB、マクロセル、ピコセル、小規模/フェムトセル)に適用され得る。いくつかの実施形態では、これらのデバイスは、デバイスが全二重通信で動作中か、それとも半二重通信で動作中かに基づいて、機能指示または更新を送り得る。
【００１７】
ワイヤレス通信では、全二重動作はいくつかの特性を有する。たとえば、ワイヤレス通信デバイスは、スペクトルの部分内で情報(たとえば、音声またはデータトラフィック)を同時に送信および受信し得る。周波数分割全二重では、デバイスは、異なる周波数または帯域上で同時に送信および受信し得る。時分割複信(TDD)では、デバイスは一般に、同一のスペクトル、周波数、または帯域内で異なる時間に送信および受信する。いくつかの実施形態では、全二重動作は、両方向(たとえば、送信および受信)について同一の周波数を使用して達成され得る。たとえば、デバイスは、同一であるか、または完全に重複している送信および受信周波数帯(たとえば、図3の周波数302)、部分的に重複している送信および受信周波数帯(たとえば、図3の周波数302および304)、または重複していないが、互いに接近しており、望ましくない送信および受信周波数帯(たとえば、図3の周波数302および306)を利用し得る。
【００１８】
本開示では、同一周波数全二重(SF-FD)とは、両方向(たとえば、アップリンクおよびダウンリンク方向)の通信のために同一の周波数帯が使用される全二重動作を指す。いくつかの実施形態では、SF-FD動作はまた、同一ではないが、互いに重複し、またはかなり接近している2つの周波数帯を使用する双方向通信を含み、したがってSF-FD動作は、たとえばフィルタを使用して2つの周波数帯を分離するデバイスの能力に依拠する、一般的に周知の周波数分割全二重動作とは異なる。
【００１９】
図1は、いくつかの実施形態による、処理システム114を利用する装置100についてのハードウェア実装の一例を示す図である。本開示の様々な態様によれば、要素、または要素の任意の部分、または要素の任意の組合せは、1つまたは複数のプロセッサ104を含む処理システム114とともに実装され得る。たとえば、装置100は、ユーザ機器(UE)、基地局、ネットワークエンティティ、中継ノード、またはデータ通信(たとえば、ワイヤレス通信)が可能な任意のデバイスであり得る。本開示のいくつかの態様では、装置100は、図2に示されるように、スケジューリングエンティティ202または従属エンティティ204を実装するために使用され得る。別の例では、装置100は、基地局を実装するために使用され得、基地局は、スケジューリングエンティティ202または従属エンティティ204であり得る。別の例では、装置100は、中継ノードまたはネットワークノードを実装するために使用され得、中継ノードまたはネットワークノードは、スケジューリングエンティティ202または従属エンティティ204であり得る。プロセッサ104の例は、本開示全体にわたって、たとえば図6〜図11で説明される様々な機能を実施するように構成されたマイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、ディスクリートハードウェア回路、および他の適切なハードウェアを含む。すなわち、プロセッサ104は、装置100内で利用されるとき、以下で説明されるプロセスのうちの任意の1つまたは複数を実装するために使用され得る。
【００２０】
この例では、処理システム114は、バス102によって全般的に表されるバスアーキテクチャとともに実装され得る。バス102は、処理システム114の特定の応用例および全体の設計制約に応じて、任意の数の相互接続バスおよびブリッジを含み得る。バス102は、1つまたは複数のプロセッサ(プロセッサ104によって全般的に表される)、メモリ105、およびコンピュータ可読媒体(コンピュータ可読媒体106によって全般的に表される)を含む様々な回路または構成要素を互いにリンクする。バス102はまた、タイミングソース、周辺機器、電圧調整器、電源管理回路などの様々な他の回路をリンクし得、様々な他の回路は当技術分野で周知であり、したがってこれ以上は説明されない。バスインターフェース108が、バス102とトランシーバ110との間のインターフェースを提供する。トランシーバ110(通信インターフェース)は、伝送媒体を介して様々な他の装置と通信するための手段を提供する。たとえば、トランシーバ110は、全二重(FD)および/または半二重(HD)通信をサポートするように構成され得る。装置の性質に応じて、ユーザインターフェース112(たとえば、キーパッド、ディスプレイ、スピーカ、マイクロフォン、ジョイスティック、トラックパッド、タッチスクリーン、カメラ)も設けられ得る。
【００２１】
プロセッサ104は、バス102と、コンピュータ可読媒体106上に記憶されたソフトウェアの実行を含む一般的処理とを管理する役割を果たす。ソフトウェアは、プロセッサ104によって実行されるとき、任意の特定の装置について図2〜図11において以下で説明される様々な機能を処理システム114に実施させる。コンピュータ可読媒体106はまた、ソフトウェアを実行するときにプロセッサ104によって操作されるデータを記憶するために使用され得る。装置100の様々なブロックおよび回路類は、ソフトウェア、ファームウェア、ハードウェアとして、またはソフトウェア、ファームウェア、およびハードウェアの組合せとして実装され得る。
【００２２】
いくつかの実施形態では、ソフトウェアは、機能指示122を処理および更新し得る機能更新コード120を含み得る。ソフトウェアはまた、全二重/半二重通信コード124をも含み得る。機能更新コード120が実行されるとき、機能指示ブロック126が、機能指示122を更新または維持することに関する機能を実施するように構成され、特徴サポートブロック128が、機能指示122に基づいて1つまたは複数の特徴を制御する(たとえば、使用可能または使用不能にする)ように構成される。機能指示122は、装置100の現在サポートされ、または構成される特徴をシグナリングするために別のデバイスに送られ得る。特徴のいくつかの非限定的な例は、装置によって処理されるデータユニット内の最大ビット数、通信のためにアグリゲートされる搬送波の数、通信モード(たとえば、全二重または半二重)、信号変調方式、および装置のカテゴリを含み得る。
【００２３】
全二重/半二重通信コード124は、実行されるとき、全二重および半二重通信に関する機能を実施するように全二重(FD)/半二重(HD)制御ブロック130(たとえば、通信制御ブロック)を構成する。プロセッサ104はまた、特徴サポートブロック128、FD/HD制御ブロック130、および機能指示ブロック126の動作を調整するように構成され得る構成制御ブロック132をも含み得る。構成制御ブロック132は、異なる特徴をサポートする様々な構成を制御するために利用され得る。
【００２４】
処理システム内の1つまたは複数のプロセッサ104がソフトウェアを実行し得る。ソフトウェアは、ソフトウェア、ファームウェア、ミドルウェア、マイクロコード、ハードウェア記述言語、またはその他として参照されるとしても、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、関数などを意味するように広く解釈されるものとする。ソフトウェアはコンピュータ可読媒体106上にあり得る。コンピュータ可読媒体106は非一時的コンピュータ可読媒体であり得る。非一時的コンピュータ可読媒体は、例として、磁気記憶デバイス(たとえば、ハードディスク、フロッピィディスク、磁気ストライプ)、光ディスク(たとえば、コンパクトディスク(CD)またはデジタル多用途ディスク(DVD))、スマートカード、フラッシュメモリデバイス(たとえば、カード、スティック、またはキードライブ)、ランダムアクセスメモリ(RAM)、読取り専用メモリ(ROM)、プログラマブルROM(PROM)、消去可能PROM(EPROM)、電気消去可能PROM(EEPROM)、レジスタ、取外し可能ディスク、ならびにコンピュータによってアクセスされ、読み取られ得るソフトウェアおよび/または命令を記憶するための任意の他の適切な媒体を含む。コンピュータ可読媒体106は、処理システム114内にあり、処理システム114の外部にあるか、または処理システム114を含む複数のエンティティにわたって分散され得る。コンピュータ可読媒体106はコンピュータプログラム製品として実施され得る。例として、コンピュータプログラム製品は、パッケージング材料内にコンピュータ可読媒体を含み得る。特定の応用例およびシステム全体に対して課される全体の設計制約に応じて、本開示全体にわたって提示される記載の機能をどのように最良に実施するかを当業者は理解されよう。
【００２５】
図2は、以下でさらに詳細に説明される1つまたは複数のデータチャネルおよび制御チャネルを利用するワイヤレス通信に関与するスケジューリングエンティティ202およびいくつかの従属エンティティ204を示すブロック図である。本開示の一態様では、スケジューリングエンティティ202および/または従属エンティティ204は、1つまたは複数の装置100を使用して実装され得る。図2に示されるチャネルは、必ずしも、スケジューリングエンティティ202と従属エンティティ204との間で利用され得るチャネルのすべてであるわけではなく、図示されるものに加えて、他の制御、シグナリング、およびフィードバックチャネルなどの他のチャネルが利用され得ることを当業者は理解されよう。スケジューリングエンティティ202は、従属エンティティ204が秩序的にスケジューリングエンティティ202と通信し得るように様々なスケジューリング機能を実施し得る。スケジューリング機能の非限定的な例は、スケジューリング方式を決定すること、従属エンティティからの通信リソース要求を処理すること、要求側従属エンティティについてのデータレートを決定すること、および従属エンティティに許可を送信することを含む。
【００２６】
一例では、スケジューリングエンティティ202は、1つまたは複数の従属エンティティ204(たとえば、2次または他のリモートエンティティ)にデータ(たとえば、アップリンクまたはダウンリンクデータ)をブロードキャストし得る。さらに、スケジューリングエンティティ202は、異なる従属エンティティ204に異なるダウンリンクデータを送り得、1つまたは複数の従属エンティティ204は、スケジューリングエンティティ202にアップリンクデータを送信し得る。さらに、スケジューリングエンティティ202は、従属エンティティ204に制御チャネルをブロードキャストし得る。スケジューリングエンティティ202は、同一の制御チャネルまたは異なる制御チャネルを通じて、異なる従属エンティティ204に異なる制御/シグナリングデータを送り得る。制御チャネルは、エンティティの機能指示(たとえば、図1の機能指示122)を含むシグナリング、オーバーヘッドメッセージ、ページングメッセージ、または制御メッセージを送信するために使用され得る。スケジューリングエンティティ202と従属エンティティ204との間の通信は、半二重または全二重であり得る。スケジューリングエンティティ202は、従属エンティティ204に機能指示を送り得、またはその逆である。
【００２７】
スケジューリングエンティティ202は任意の適切な無線トランシーバ装置であり得る。いくつかの例では、それは、基地局(BS)、送受信基地局(BTS)、無線基地局、無線トランシーバ、トランシーバ機能、基本サービスセット(BSS)、拡張サービスセット(ESS)、アクセスポイント(AP)、Node B、eNode B(eNB)、メッシュノード、中継ノード、または何らかの他の適切な用語として当業者によって呼ばれることがある。基地局は、任意の数のユーザ機器(UE)のためのコアネットワークにワイヤレスアクセスポイントを提供する。
【００２８】
本開示の様々な態様では、ワイヤレス通信デバイスは、スケジューリングエンティティ202および/または従属エンティティ204であり得る。ワイヤレス通信デバイスの例は、UE、セルラーフォン、スマートフォン、セッション開始プロトコル(SIP)フォン、ラップトップ、ノートブック、ネットブック、スマートブック、携帯情報端末(PDA)、衛星ラジオ、全地球測位システム(GPS)デバイス、マルチメディアデバイス、ビデオデバイス、デジタルオーディオプレーヤ(たとえば、MP3プレーヤ)、カメラ、エンターテイメントデバイス、ウェアラブル通信デバイス、自動車、メッシュネットワーク、M2M構成要素、ゲームコンソール、エンターテイメントデバイス、車両構成要素、モノのインターネット内のエンティティ、または任意の他の類似の機能デバイスを含む。ワイヤレス通信デバイスはまた、移動局(MS)、加入者局、モバイルユニット、サブスクライバユニット、ワイヤレスユニット、リモートユニット、モバイルデバイス、ワイヤレスデバイス、リモートデバイス、モバイル加入者局、アクセス端末(AT)、モバイル端末、ワイヤレス端末、リモート端末、ハンドセット、端末、ユーザエージェント、モバイルクライアント、クライアント、または何らかの他の適切な用語として当業者によって呼ばれることがある。
【００２９】
第3世代パートナーシッププロジェクト(3GPP)規格に従って定義されるような、既存のワイヤレス通信ネットワークについてのワイヤレス通信デバイスは、互いに独立なネットワーク(たとえば、基地局)にシグナリングされる任意選択の特徴をサポートし得る。たとえば、UEは、その端末機能クラス、カテゴリ、および/または動作特性に応じて機能を有し得る。たとえば、高速パケットアクセス(HSPA)規格のリリース5では、いくつかの通信パラメータ内でUEの機能を定義する12個の端末機能カテゴリがある。一般には、デバイスの任意選択の特徴または機能が、互いに独立にシグナリングされる。しかしながら、デバイスがワーストケースとともに構成される(すなわち、すべての特徴が使用可能にされる)可能性は低くなり得るので、機能の独立なシグナリングは非効率な設計となり得る。したがって、ワーストケースをサポートするデバイス設計は一般に、コスト効果的ではないことがある。
【００３０】
図4は、いくつかの実施形態による、SF-FDを使用して互いに通信する2つのデバイス通信402、404を示すブロック図である。たとえば、2つのデバイス402および404は、それぞれ図2のスケジューリングエンティティ202および従属エンティティ204であり得る。一実施形態では、通信デバイス402および404は、図1の装置100を使用して実装され得る。デバイス402および404の各々は、送信機406および受信機408を含み得、送信機406および受信機408は、一体化された構成要素または別々の構成要素であり得る。SF-FD通信では、デバイス402の送信機406は、デバイス404の受信機に信号を送り得、同時にデバイス404の送信機406は、同一の周波数帯または重複する周波数帯を使用してデバイス402の受信機408に信号を送り得る。しかしながら、SF-FD対応デバイスは、必ずしも全二重モードで動作するとは限らないことがある。一例では、ポイントツーポイントモード(すなわち、間に基地局または中継ノードのないデバイス間通信)では、SF-FD動作の使用は、他のエンドデバイスの機能に依存し得る。別の例では、SF-FD通信の使用は、スペクトル効率と電力消費との間の所望のトレードオフに依存し得る。別の例では、SF-FD通信の使用は、受信機の部分として生じ得る送信経路相殺量(すなわち、いわゆる全二重相殺レベル)に影響を及ぼす干渉条件に依存し得る。
【００３１】
通信デバイス402または404はまた、半二重動作である時分割複信(TDD)通信を使用して別のデバイスと通信し得る。半二重モードでは、通信デバイスは、信号を同時に送信および受信しない。すなわち、通信デバイスは、非重複時間枠において送信および受信する。SF-FD通信とは異なり、TDD動作では、デバイスは、同一の周波数帯または異なる周波数帯上で同時に送信および受信しない。図5は、いくつかの実施形態による、TDD通信チャネル500を示す図である。たとえば、TDD通信デバイスは、同一の周波数帯またはチャネル500内の異なる時間スロットの割振りによってダウンリンクチャネル504から分離されるアップリンクチャネル502を使用し得る。したがって、TDD通信は、アップリンクおよびダウンリンクデータ送信のための非対称フローを可能にする。TDD通信デバイスには、アップリンクおよびダウンリンク送信のために異なる時間スロットが割り振られる。言い換えれば、半二重送信(たとえば、TDD)は、アップリンク送信とダウンリンク送信が同一の伝送媒体(たとえば、同一の周波数帯)を共有することを可能にする。したがって、TDD通信デバイスは、半二重動作中に、いくつかの通信リソース(たとえば、受信機(Rx)および送信機(Tx)ハードウェアリソース)を共有し得る。
【００３２】
一般には、通信デバイスが半二重モードからSF-FDモードに切り替わるとき、Tx-Rxリソース共有が難しくなり、時には不可能となる。その結果、Rxおよび/またはTx機能が低下し得る。たとえば、デバイスは、全二重通信中に、半二重と比較して、低下したデータレート(たとえば、半分のデータレート)において動作し得る。実際のケースでのデバイスの機能の低下または劣化は、異なる実装においてかなり異なり得る。
【００３３】
本発明の実施形態は、限定はしないが、ウェブブラウジング、ビデオストリーミング、ボイスオーバーIP(VoIP)、基幹業務の応用例、マルチホップネットワーク、リアルタイムフィードバックを伴うリモート動作(たとえば、遠隔手術)などを含む、多くの異なるタイプのサービスまたは応用例を可能にし、提供する。これらの異なるサービスおよび応用例は、全二重(たとえば、SF-FD)および/または半二重通信を使用してサポートされ得る。したがって、ワイヤレス通信デバイスが、全二重通信が使用可能にされるか、それとも半二重通信が使用可能にされるかに基づいて、その機能またはカテゴリを効率的に更新、変更、または再構成し得ることは有益である。
【００３４】
本開示のいくつかの実施形態によれば、ワイヤレス通信デバイスは、いくつかの動作特性に基づいて、その機能またはカテゴリを更新または変更し得る。そのような特性の特定の一例は、デバイスが全二重モード(たとえば、SF-FD)で動作中か、それとも半二重モードで動作中かである。一例として、通信デバイスは、全二重が使用されるか、それとも半二重が使用されるかに基づいて、その動作または能力のうちの1つまたは複数を修正し得る。しかしながら、本開示は、デバイスの機能/カテゴリを更新または変更するための条件として全二重/半二重のみを使用することに限定されない。他の適切な動作特性は、デバイスの機能/カテゴリを更新または変更するために使用され得る。本開示の一態様では、通信デバイスは、全二重および半二重動作についてその処理能力を異なるようにサイジングするために構成され得る。デバイスがその機能またはカテゴリを更新または変更すると、デバイスは、別のデバイスに機能指示を送り、現在サポートされる特徴(Feature)を示し得る。本開示の一態様では、機能指示は、サポートされる特徴の量より少ないビット数を有するメッセージであり得る。たとえば、機能指示は、3つ以上の特徴をシグナリングするように利用される3つのビットを有し得る。さらに、機能指示は、第2の特徴がサポートされるか否かに依存する方式で第1の特徴のサポートを示し得る。言い換えれば、機能指示は、1つまたは複数の特徴のサポートが独立にシグナリング、レポート、または更新されないように構成される。
【００３５】
特徴のいくつかの非限定的な例は、デバイスによって処理されるデータユニット内の最大ビット数、通信のためにアグリゲートされる搬送波の数、通信モード(たとえば、全二重または半二重)、信号変調方式(たとえば、直交振幅変調)を含む。例示的な一例として、以下のTable 1(表1)は、機能指示の値および通信デバイスによってサポートされ得る2つの特徴(AおよびB)を示し、通信デバイスは、図1、図2、図4、および図6〜図8に示されるデバイスまたは装置のいずれかであり得る。Table 1(表1)に示される特徴の組合せは網羅的なものではなく、他の特徴の組合せが使用され得ることに留意されたい。
【００３６】
【表１】
0006561076.tif 000002
【００３７】
一例では、Table 1(表1)の機能指示を送る通信デバイスはユーザ機器または従属エンティティであり得、受信側デバイスは基地局またはスケジューリングエンティティであり得、またはその逆である。機能指示の受信に応答して、受信側デバイスは、非限定的な例としてTable 2(表2)およびTable 3(表3)に示されるように特徴AおよびBのサポートを構成し得る。
【００３８】
【表２】
0006561076.tif 000003
【００３９】
【表３】
0006561076.tif 000004
【００４０】
機能指示「000」は、特徴AとBの両方がサポートされないことを示し、したがって、受信側デバイスは、特徴AおよびBについてのサポートを提供しない(すなわち、構成「00」)ように構成される。機能指示「001」は、特徴Bがサポートされるが、特徴Aはサポートされないことを示し、したがって、受信側デバイスは、特徴AとBの両方についてのサポートを提供せず(すなわち、構成「00」)、または特徴Bについてのサポートを提供するが、特徴Aについてのサポートを提供しない(すなわち、構成「01」)ように構成され得る。機能指示「010」は、特徴Aがサポートされるが、特徴Bがサポートされないことを示し、したがって、受信側デバイスは、特徴AとBの両方についてのサポートを提供せず(すなわち、構成「00」)、または特徴Aについてのサポートを提供するが、特徴Bについてのサポートを提供しない(すなわち、構成「10」)ように構成され得る。機能指示「011」について、受信側デバイスは、特徴AとBの両方についてのサポートを提供せず(すなわち、構成「00」)、特徴Bについてのサポートを提供するが、特徴Aについてのサポートを提供せず(すなわち、構成「01」)、または特徴Aについてのサポートを提供するが、特徴Bについてのサポートを提供しない(すなわち、構成「10」)ように構成され得る。機能指示「100」について、受信側デバイスは、特徴AとBの両方についてのサポートを提供せず(すなわち、構成「00」)、特徴Bについてのサポートを提供するが、特徴Aについてのサポートを提供せず(すなわち、構成「01」)、または特徴Aについてのサポートを提供するが、特徴Bについてのサポートを提供せず、(すなわち、構成「10」)、または特徴AとBの両方についてサポート(すなわち、構成「11」)を提供するように構成され得る。
【００４１】
図6は、いくつかの実施形態による、中継ノードとして構成する通信デバイス602を示す図である。一例では、中継ノード602は、図2のスケジューリングエンティティ202または従属エンティティ204であり得る。本開示の一態様では、中継ノード602は装置100として実装され得る。中継ノード602は、UE606とネットワークエンティティ604(たとえば、基地局、Node Bなど)との間の通信を中継し得る。中継ノード602は、全二重または半二重モードでUE606およびネットワークエンティティ604と通信し得る。本開示の一態様では、中継ノード602は、中継ノード602が全二重で動作中か、それとも半二重で動作中かに基づいて、直接に接続されたノード(たとえば、UE606およびネットワークエンティティ604)に機能指示608を送り得る。機能指示608は、デバイスが全二重モードで動作中か、それとも半二重モードで動作中かに基づいて、特徴をサポートするようにデバイスの機能を示し得る。本開示の一態様では、デバイス602の全二重モードはSF-FDモードである。中継ノード602が装置100として実装されるとき、中継ノード602は、全二重/半二重コード124を実行して、全二重または半二重のどちらかで通信するようにFD/HD制御ブロック126および/またはトランシーバ110を構成し得る。さらに、中継ノード602は、機能更新コード120を実行して、機能指示を更新し、別のデバイスに送信するための様々な機能を実施し得る。
【００４２】
本開示の様々な態様では、機能指示608を利用することによって示され得る特徴の非限定的な例は、中継ノードによって処理されるデータユニット内の最大ビット数、アグリゲートされる搬送波の数、通信モード(たとえば、SF-DFまたは半二重)、信号変調方式、デバイスカテゴリなどを含み得る。たとえば、3GPPリリース8規格は、様々な最大ピークデータレートおよび多入力および多出力(MIMO)機能サポートを伴ういくつかのユーザ機器カテゴリを定義する。
【００４３】
本開示の一態様では、機能指示608は、コンピュータ可読媒体106(図1参照)に記憶された機能指示122と同一であり得る。本開示の他の態様では、機能指示608は、全二重または半二重モードで動作しながら、中継ノード602によってサポートされるいくつかの機能または特徴を示すために使用され得る。本開示のいくつかの態様では、中継ノード602は、中継ノード602に直接には接続されない他のネットワークエンティティ(たとえば、リモートエンティティ)に機能指示608を送り得る。2つのデバイスは、間に介在デバイスがある場合、直接には接続されない。たとえば、中継ノード602は、介在ネットワークエンティティ604を介してリモートエンティティ610(たとえば、UEまたは中継ノード)に機能指示608を送り得る。本開示の一態様では、ネットワークエンティティ604は、そのルーティング決定において機能指示608の情報を利用し得る。
【００４４】
図7は、いくつかの実施形態による、2次デバイスとして動作する通信デバイス702を示す図である。一例では、2次デバイス702は、図2のスケジューリングエンティティ202または従属エンティティ204であり得る。本開示の様々な態様では、2次デバイス702は、UE、基地局、ネットワークエンティティ、中継ノード、またはスレーブデバイスであり得る。2次デバイス702は、全二重モードまたは半二重モードで1次デバイス704と通信し得る。いくつかの例では、1次デバイス704は、UE、基地局、ネットワークエンティティ、中継ノード、またはマスタデバイスであり得る。本開示の様々な態様では、1次および2次デバイス702および704は、装置100を使用して実装され得る。本開示の一態様では、2次デバイス702は、2次デバイス702が全二重モードで動作中であるか、それとも半二重モードで動作中であるかに基づいて、1次デバイス704に機能指示706を送り得る。機能指示706は、デバイスが全二重モードで動作中であるか、それとも半二重モードで動作中であるかに基づいて、特徴をサポートするようにデバイスの機能を示し得る。機能指示706によって示され得る特徴の非限定的な例は、1次デバイス704または2次デバイス702によって処理されるデータユニット内の最大ビット数、デバイス間の通信のためにアグリゲートされる搬送波の数、通信モード(たとえば、全二重または半二重)、信号変調方式、デバイスカテゴリなどを含み得る。本開示のいくつかの態様では、機能指示706は、全二重モードまたは半二重モードで2次デバイス702によってサポートされる任意の適切な機能または特徴を示すように利用され得る。
【００４５】
図8は、いくつかの実施形態による、1次デバイスとして動作する通信デバイス802を示す図である。一例では、1次デバイス802は、図2のスケジューリングエンティティ202または従属エンティティ204であり得る。本開示の様々な態様では、1次デバイス802は、UE、基地局、ネットワークエンティティ、中継ノード、またはマスタデバイスであり得る。1次デバイス802は、全二重モードまたは半二重モードで2次デバイス804と通信し得る。2次デバイス804は、UE、基地局、ネットワークエンティティ、中継ノード、またはスレーブデバイスであり得る。本開示の様々な態様では、1次および2次デバイス802および804は、装置100を使用して実装され得る。本開示の一態様では、1次デバイス802は、1次デバイス802が全二重モードにあるか、それとも半二重モードにあるかに基づいて、2次デバイス804に機能指示806を送り得る。機能指示806によって示され得る特徴の非限定的な例は、1次デバイス802または2次デバイス804によって処理されるデータユニット内の最大ビット数、デバイス間の通信のためにアグリゲートされる搬送波の数、通信モード(たとえば、全二重または半二重)、信号変調方式、デバイスカテゴリなどを含み得る。本開示のいくつかの態様では、機能指示806は、1次デバイス802が全二重モードにあるか、それとも半二重モードにあるかに応じて、1次デバイス802によってサポートされる任意の適切な機能または特徴を示すように利用され得る。本開示のいくつかの態様では、1次デバイス802は、他のデバイスに機能指示806を送らないことがある。
【００４６】
図6〜図8では、機能指示を送信または利用することのできる通信デバイスは、スケジューリングエンティティ(たとえば、図2のスケジューリングエンティティ202)であり得、機能指示を受信するデバイスは、従属エンティティ(たとえば、図2の従属エンティティ204)であり得る。本開示のいくつかの態様では、機能指示は、シグナリングメッセージまたはシグナリングメッセージの一部であり得る。シグナリングプロトコルおよびそのシグナリングメッセージの一例は、ユニバーサルモバイル通信システム(UMTS)の無線リソース制御(RRC)シグナリングプロトコルについて説明する3GPP技術仕様(TS)25.331リリース12文書内で定義される。この3GPP TSの内容全体が参照により本開示に組み込まれる。本開示のいくつかの態様では、UEに送られる機能指示は、基地局に送られるものと同一であるか、または異なり得る。本開示のいくつかの態様では、全二重動作に応じたデバイスの機能、カテゴリ、またはサポートされる特徴は、関連する通信規格(たとえば、3GPP規格)内に組み込まれ、またはデバイス間で事前ネゴシエートされ得る。この場合、機能指示は、全二重が利用されるか否かを示す必要があるだけであり、受信側デバイスは、送信側デバイスがどの機能または特徴をサポートし得るかを想定し得る。
【００４７】
図9は、いくつかの実施形態による、通信モードに基づいて装置の機能情報を通信する方法900を示す流れ図である。機能情報は、図1および図6〜図8に示される機能指示のいずれかであり得る。機能指示は、通信モードに従ってデバイスのサポートされる特徴またはカテゴリを示し得る。たとえば、通信モードは全二重または半二重であり得る。方法900は、図1、図2、図4、および/または図6〜図8に示されるデバイスのいずれかを使用して実施され得る。本開示の様々な態様では、装置は、UE、基地局、またはネットワークエンティティであり得る。特定の一例では、方法900は装置100によって実施され得る。
【００４８】
ブロック902において、装置100は、第1の二重モードまたは第2の二重モードで、搬送波を介して別のデバイスと通信する。搬送波は、通信のために割り振られた通信チャネルまたは周波数帯であり得る。装置と別のデバイスとの間の通信は、ワイヤレスまたはワイヤード通信であり得る。ワイヤレス通信のいくつかの非限定的な例は、セルラー、Wi-Fi、Bluetooth(登録商標)、および衛星を含む。第1の二重モードは全二重モード(たとえば、SF-FD)であり得、第2の二重モードは半二重モードであり得る。一例では、装置100は、全二重/半二重コード124を実行することによって全二重通信または半二重通信を実施するように構成され得る。(図1参照)。構成された後に、装置100は、全二重/半二重制御ブロック130(通信制御ブロック)およびトランシーバ110(図1参照)を利用して、別のデバイスとの全二重または半二重通信を実施し得る。
【００４９】
ブロック904において、装置は、装置が第1の二重モードで動作中か、それとも第2の二重モードで動作中かに基づく少なくとも2つの特徴をサポートするために装置の機能を示す機能指示を送信する。機能指示は、少なくとも2つの特徴の間で第1の特徴のサポートが第2の特徴に依存することを示すように構成される。本開示の一態様では、装置は、第1の特徴および第2の特徴についてのサポートを提供するように特徴サポートブロック128を構成し得る。特徴のいくつかの非限定的な例は、データユニット内の最大ビット数、通信のためにアグリゲートされる搬送波の数、通信モード(たとえば、全二重または半二重)、信号変調方式(たとえば、直交振幅変調)、デバイスカテゴリ、ならびに装置が全二重モードで動作中であるか、それとも半二重モードで動作中であるかに基づいて構成および/または再構成され(たとえば、使用可能/使用不能にされ)得る任意の特徴を含む。一例では、機能指示は、Table 1(表1)〜Table 3(表3)に示される2つの機能のサポートを示し得る。特定の一例では、一方の特徴は全二重であり得、もう一方の特徴は256-QAM(直交振幅変調)であり得る。
【００５０】
図10は、いくつかの実施形態による、図9のブロック904をより詳細に示す流れ図である。判定ブロック1002において、装置が全二重モードで動作中である場合、方法はブロック1004に進み、そうでない場合、方法はブロック1006に進む。たとえば、装置は、通信制御ブロック(たとえば、全二重/半二重制御ブロック130)を利用して、装置が全二重モードにあるか、それとも半二重モードにあるかを判定し得る。ブロック1004において、装置は、全二重モードに対する機能指示を送る。本開示の一態様では、全二重モードはSF-FDモードである。ブロック1006において、装置は半二重モードに対する機能指示を送る。本開示のいくつかの態様では、全二重/半二重動作に応じた装置の機能は、標準化または事前ネゴシエートされ得る。したがって、受信側デバイスは、対応する特徴を使用中の規格または事前のネゴシエーションからすでに認識しているので、機能指示は、サポートされる機能情報を含むことなく全二重または半二重を示し得る。
【００５１】
一例では、機能指示は、第2の特徴(たとえば、Table 1(表1)〜Table 3(表3)の特徴B)が構成されない場合は第1の特徴(たとえば、Table 1(表1)〜Table 3(表3)の特徴A)がサポートされることを示すように構成され得る。別の例では、機能指示は、第2の特徴が構成される場合は第1の特徴がサポートされることを示すように構成され得る。別の例では、機能指示は、特徴のサポートを個々に示さないように構成され得る。
【００５２】
図11は、いくつかの実施形態による、別のデバイスから受信した機能指示に基づいて装置を構成する方法1100を示す流れ図である。本開示の様々な態様では、装置および別のデバイスは、UE、基地局、またはネットワークエンティティであり得る。たとえば、方法1100は、図1、図2、図4、および/または図6〜図8に示される装置またはデバイスのいずれかによって実施され得る。特定の一例では、方法1100は図1の装置100によって実施され得る。
【００５３】
ブロック1102において、装置100は、搬送波を介して別のデバイスと通信する。搬送波は、通信のために割り振られた通信チャネルまたは周波数帯であり得る。装置と別のデバイスとの間の通信は、ワイヤレスまたはワイヤード通信であり得る。ワイヤレス通信のいくつかの例は、セルラー、Wi-Fi、Bluetooth(登録商標)、および衛星を含む。第1の二重モードは全二重モード(たとえば、SF-FD)であり得、第2の二重モードは半二重モードであり得る。一例では、装置100は、全二重/半二重コード124を実行することによって全二重通信または半二重通信を実施するように構成され得る。(図1参照)。構成された後に、装置100は、全二重/半二重制御ブロック130およびトランシーバ110(図1参照)を利用して、他のデバイスとの全二重または半二重通信を実施し得る。
【００５４】
ブロック1104において、装置は、別のデバイスが第1の二重モードで動作中か、それとも第2の二重モードで動作中かに基づく少なくとも2つの特徴をサポートするために別のデバイスの機能を示す機能指示を別のデバイスから受信する。たとえば、機能指示は、図1および図6〜図8に示される機能指示のいずれかと同一であり得る。
【００５５】
ブロック1106において、機能指示に応答して、装置は、機能指示に基づいて少なくとも2つの特徴をサポートするように構成される。たとえば、機能指示は、少なくとも2つの特徴の間で第1の特徴のサポートが第2の特徴に依存することを示し得る。本開示の一態様では、装置は、機能指示に基づいて、その動作を変更し、様々な特徴を使用可能/使用不能にし、または利用可能な処理能力を調節もしくはサイジングし得る。一例では、別のデバイスが全二重動作をサポートすることを機能指示が示す場合、装置は、全二重モードを使用可能にし、より多くの処理能力を割り振り得る。別の例では、別のデバイスが全二重動作をサポートしないことを機能指示が示す場合、装置は、半二重モードを使用可能にし、より少ない処理能力を割り振り得る。
【００５６】
本開示の一態様では、装置は、特徴サポートブロック128を利用して、第1の特徴および第2の特徴についてのサポートを提供し得る。特徴のいくつかの非限定的な例は、データユニット内の最大ビット数、通信のためにアグリゲートされる搬送波の数、通信モード(たとえば、全二重または半二重)、信号変調方式(たとえば、直交振幅変調)、デバイスカテゴリ、ならびに装置が全二重モードで動作中であるか、それとも半二重モードで動作中であるかに基づいて構成および/または再構成され(たとえば、使用可能/使用不能にされ)得る任意の特徴を含む。一例では、2つの特徴は、Table 1(表1)〜Table 3(表3)の特徴AおよびBであり得る。特定の一例では、特徴Aは全二重であり得、特徴Bは256-QAMであり得る。
【００５７】
当業者は容易に理解するであろうが、本開示全体にわたって説明される様々な態様は、任意の適切な遠隔通信システム、ネットワークアーキテクチャ、および通信規格に拡張され得る。例として、様々な態様が、W-CDMA、TD-SCDMA、TD-CDMAなどのUMTSシステムに適用され得る。様々な態様はまた、ロングタームエボリューション(LTE)(FDDモード、TDDモード、または両方のモード)、LTEアドバンスト(LTE-A)(FDDモード、TDDモード、または両方のモード)、CDMA2000、エボリューションデータオプティマイズド(EV-DO)、ウルトラモバイルブロードバンド(UMB)、IEEE802.11(Wi-Fi)、IEEE802.16(WiMAX)、IEEE802.20、超広帯域(UWB)、Bluetooth(登録商標)、および/またはまだ定義されていない広域ネットワーク規格によって説明されるものを含む他の適切なシステムを利用するシステムに適用され得る。利用される実際の遠隔通信規格、ネットワークアーキテクチャ、および/または通信規格は、特定の応用例およびシステム全体に対して課される全体の設計制約に依存し得る。
【００５８】
本開示内で、「例示的」という語は、「一例、事例、または例示としての役割を果たすこと」を意味するために使用される。本明細書で「例示的」なものとして説明される任意の実装または態様は、必ずしも本開示の他の態様よりも好ましい、または有利であると解釈されるべきではない。同様に、「態様」という用語は、本開示のすべての態様が、論じられた特徴、利点、または動作モードを含むことを必要とするわけではない。「結合される」という用語は、本明細書では、2つの物体間の直接的または間接的結合を指すために使用される。たとえば、物体Aが物体Bに物理的に接触し、物体Bが物体Cに接触する場合、物体AおよびCが互いに直接的に物理的に接触しない場合であっても、物体AおよびCはやはり互いに結合されると見なされ得る。たとえば、第1のダイが第2のダイと決して直接的に物理的に接触していないとしても、第1のダイはパッケージ内で第2のダイに結合され得る。「回路」および「回路類」という用語は広い意味で使用され、電子回路のタイプに関しての限定なしに、接続および構成されるとき、本開示で説明される機能の実施を可能にする電気的デバイスおよび導体のハードウェア実装と、プロセッサによって実行されるとき、本開示で説明される機能の実施を可能にする情報および命令のソフトウェア実装の両方を含むものとする。
【００５９】
図1〜図11に示される構成要素、ステップ、特徴、および/または機能のうちの1つまたは複数は、単一の構成要素、ステップ、特徴、または機能として再構成され、および/または組み合わされ、あるいはいくつかの構成要素、ステップ、または機能で実施され得る。本明細書で開示される新規な特徴から逸脱することなく、追加の要素、構成要素、ステップ、および/または機能も追加され得る。図1〜図11に示される装置、デバイス、および/または構成要素は、本明細書で説明される方法、特徴、またはステップのうちの1つまたは複数を実施するように構成され得る。本明細書で説明される新規なアルゴリズムはまた、ソフトウェアで効率的に実装され、かつ/またはハードウェア内に組み込まれ得る。
【００６０】
開示される方法におけるステップの特定の順序または階層は例示的プロセスの例示であることを理解されたい。設計選好に基づいて、方法におけるステップの特定の順序または階層が再構成され得ることを理解されたい。添付の方法クレームは、様々なステップの要素をサンプル順に提示し、その中で具体的に記載されているのでない限り、提示される特定の順序または階層に限定されることを意味するものではない。
【００６１】
先の説明は、当業者が本明細書で説明される様々な態様を実施することを可能にするように与えられる。これらの態様に対する様々な修正が当業者には容易に明らかとなり、本明細書で定義される一般原理は、他の態様に適用され得る。したがって、特許請求の範囲は、本明細書で示される態様に限定されないものとし、特許請求の範囲の言語に適合する全範囲が与えられるべきであり、単数の要素に対する参照は、具体的にそのように記載されているのでない限り「唯一無二」を意味するものではなく、「1つまたは複数」を意味するものとする。別段の具体的な記述がない限り、「いくつかの」という用語は、1つまたは複数を指す。項目のリストのうちの「少なくとも1つ」を参照する語句は、それらの項目の、単一のメンバを含む任意の組合せを指す。一例として、「a、b、またはc」のうちの少なくとも1つは、a;b;c;aおよびb;aおよびc;bおよびc;ならびにa、b、およびcを包含するものとする。当業者に周知であるか、または後に当業者に知られることになる、本開示全体にわたって説明された様々な態様の要素に対するすべての構造的および機能的均等物が、参照によって本明細書に明白に組み込まれ、特許請求の範囲によって包含されるものとする。その上、本明細書で開示されるいかなるものも、そのような開示が特許請求の範囲内に明示的に記載されるかどうかにかかわらず、公に捧げられないものとする。いかなるクレーム要素も、要素が「のための手段」という語句を使用して明白に記載されるのでない限り、または方法クレームのケースでは、要素が「のためのステップ」という語句を使用して記載されるのでない限り、米国特許法第6項の規定に基づいて解釈されるべきではない。
【符号の説明】
【００６２】
100  装置
102  バス
104  プロセッサ
106  コンピュータ可読媒体
108  バスインターフェース
110  トランシーバ
112  ユーザインターフェース
114  処理システム
120  機能更新コード
122  機能指示
124  全二重/半二重通信コード
126  機能指示ブロック
128  特徴サポートブロック
130  全二重/半二重制御ブロック
202  スケジューリングエンティティ
204  従属エンティティ
402  デバイス
404  デバイス
406  送信機
408  受信機
502  アップリンクチャネル
504  ダウンリンクチャネル
602  中継ノード
604  ネットワークエンティティ
606  UE
608  機能指示
610  リモートエンティティ
702  2次デバイス
704  1次デバイス
706  機能指示
802  1次デバイス
804  2次デバイス
806  機能指示
【図１】
0006561076.tif 000005
【図２】
0006561076.tif 000006
【図３】
0006561076.tif 000007
【図４】
0006561076.tif 000008
【図５】
0006561076.tif 000009
【図６】
0006561076.tif 000010
【図７】
0006561076.tif 000011
【図８】
0006561076.tif 000012
【図９】
0006561076.tif 000013
【図１０】
0006561076.tif 000014
【図１１】
0006561076.tif 000015